(57)【要約】【課題】踏桟側に取付孔を設けないで、補強金具の取付けができる踏桟の補強装置を提供する。【解決手段】側面視が垂直辺部Ａと水平辺部Ｂと斜辺部Ｃとからなる略直角三角形を成し、支柱１に取り付けられる支柱取付側金具３と、踏桟２に対しその上方又は下方より嵌合されて、支柱取付側金具３に連結される断面略Ｕ字状又はコ字状の踏桟取付側金具４とからなり、支柱取付側金具３は、直角三角形の垂直辺部Ａに沿う位置にあって、断面コ字状の支柱１の底壁部１ａ内面にボルト結合される取付用板部５と、夫々直角三角形の水平辺部Ｂと斜辺部Ｃを有する左右一対の側壁部６ａ，６ａを備えた中空角枠状の金具本体６とからなるもので、踏桟２に嵌合された踏桟取付側金具４の両端部４ａ，４ａが金具本体６の左右両側壁部側壁部６ａ，６ａに対しボルト結合される。【選択図】図４
2008106567.tif 000002
【特許請求の範囲】
【請求項１】
梯子等の支柱と所要の踏桟とのコーナー部において支柱と踏桟を補強する補強装置であって、支柱に取り付けられる支柱取付側金具と、踏桟に対しその上方又は下方より嵌合されて、支柱取付側金具に連結される断面略Ｕ字状又はコ字状の踏桟取付側金具とからなり、
支柱取付側金具は、底壁部と両フランジ部とによって断面コ字状を成す支柱の底壁部内面にボルト又はリベット結合される取付用板部と、中空角枠状の金具本体とからなるもので、踏桟に嵌合された踏桟取付側金具の両端部が金具本体を挟み付けた状態でこの金具本体に対しボルト又はリベット結合されてなる踏桟の補強装置。
【請求項２】
梯子等の支柱と所要の踏桟とのコーナー部において支柱と踏桟を補強する補強装置であって、側面視が垂直辺部と水平辺部と斜辺部とからなる略直角三角形を成し、支柱に取り付けられる支柱取付側金具と、踏桟に対しその上方又は下方より嵌合されて、支柱取付側金具に連結される断面略Ｕ字状又はコ字状の踏桟取付側金具とからなり、
支柱取付側金具は、前記直角三角形の垂直辺部に沿う位置にあって、底壁部と両フランジ部とによって断面コ字状を成す支柱の底壁部内面にボルト又はリベット結合される取付用板部と、夫々前記直角三角形の水平辺部と斜辺部を有する左右一対の側壁部を備えた中空角枠状の金具本体とからなるもので、踏桟に嵌合された踏桟取付側金具の両端部が金具本体の左右両側壁部に対しボルト又はリベット結合される踏桟の補強装置。
【請求項３】
支柱取付側金具には、取付用板部と中空角枠状金具本体との間に中間枠部が形成されてなる請求項１又は２に記載の踏桟の補強装置。
【請求項４】
支柱取付側金具は、前記直角三角形の直角コーナー部分が切除された形状となっている請求項２又は３に記載の踏桟の補強装置。
【請求項５】
支柱取付側金具は、長手方向に沿った一側部が取付用板部５を形成し、他側部側が左右一対の側壁部を備えた中空角枠状の金具本体を形成するようなアルミ押出型材を、前記直角三角形の垂直辺部の長さと同じピッチで且つその斜辺部の水平辺部に対する傾斜角度と同じ角度で斜めに切断して、側面視平行四辺形の切断片を形成し、この切断片を前記水平辺部に沿うように切断することによって形成される請求項２〜４の何れかに記載の踏桟の補強装置。
【発明の詳細な説明】
【技術分野】
【０００１】
本発明は、梯子、脚立、踏台、作業台等の支柱と所要の踏桟とのコーナー部において支柱と踏桟を補強するための補強装置に関するものである。
【背景技術】
【０００２】
従来の梯子や作業台等における踏桟の補強は、特許文献１や特許文献２に記載のように、梯子等の支柱と踏桟とのコーナー部に三角形状の補強金具を介在させて、この補強金具を支柱と踏桟とに対しボルト結合又はリベット結合するようにしていた。
【特許文献１】特開２００５−２５６４５９号公報
【特許文献２】特開２００６−１４４３５９号公報
【発明の開示】
【発明が解決しようとする課題】
【０００３】
特許文献１や特許文献２に記載の補強装置では、補強金具を取り付けるための取付孔を支柱側と踏桟側との両方に設ける必要があるため、その孔加工に非常に手間がかかる上、踏桟側に取付孔を設けると、作業者が乗り降りする時に踏桟に直接かかる荷重により取付孔が次第に拡大していって、リベットやボルトとの間にガタを生じるといったような問題があった。
【０００４】
本発明は、上記のような問題に鑑みてなされたもので、踏桟側に取付孔を設けることなく、支柱側に補強金具の取付孔を設けるだけで、補強金具の取付けができる踏桟の補強装置を提供することを目的とする。
【課題を解決するための手段】
【０００５】
上記課題を解決するための手段を、後述する実施形態の参照番号を付して説明すると、請求項１に係る発明は、梯子Ｈ等の支柱１と所要の踏桟２とのコーナー部において支柱１と踏桟２を補強する補強装置であって、支柱１に取り付けられる支柱取付側金具３と、踏桟２に対しその上方又は下方より嵌合されて、支柱取付側金具３に連結される断面略Ｕ字状又はコ字状の踏桟取付側金具４とからなり、
支柱取付側金具３は、底壁部１ａと両フランジ部１ｂ，１ｂとからなる断面コ字状を成す支柱１の底壁部１ａ内面にボルト又はリベット結合される取付用板部５と、中空角枠状の金具本体６とからなるもので、踏桟２に嵌合された踏桟取付側金具４の両端部４ａ，４ａが金具本体６を挟み付けた状態でこの金具本体６にに対しボルト又はリベット結合されてなることを特徴とする。
【０００６】
請求項２に係る発明は、梯子Ｈ等の支柱１と所要の踏桟２とのコーナー部において支柱１と踏桟２を補強する補強装置であって、側面視が垂直辺部Ａと水平辺部Ｂと斜辺部Ｃとからなる略直角三角形を成し、支柱１に取り付けられる支柱取付側金具３と、踏桟２に対しその上方又は下方より嵌合されて、支柱取付側金具３に連結される断面略Ｕ字状又はコ字状の踏桟取付側金具４とからなり、
支柱取付側金具３は、前記直角三角形の垂直辺部Ａに沿う位置にあって、底壁部１ａと両フランジ部１ｂ，１ｂとからなる断面コ字状を成す支柱１の底壁部１ａ内面にボルト又はリベット結合される取付用板部５と、夫々前記直角三角形の水平辺部Ｂと斜辺部Ｃを有する左右一対の側壁部６ａ，６ａを備えた中空角枠状の金具本体６とからなるもので、踏桟２に嵌合された踏桟取付側金具４の両端部４ａ，４ａが金具本体６の左右両側壁部側壁部６ａ，６ａに対しボルト又はリベット結合されることを特徴とする。
【０００７】
請求項３は、請求項１又は２に記載の踏桟の補強装置において、支柱取付側金具３は、取付用板部５と中空角枠状金具本体６との間に中間枠部７が形成されてなることを特徴としている。
【０００８】
請求項４は、請求項２又は３に記載の踏桟の補強装置において、支柱取付側金具３は、前記直角三角形の直角コーナー部分ａが切除された形状となっていることを特徴としている。
【０００９】
請求項５は、請求項２〜４の何れかに記載の踏桟の補強装置において、支柱取付側金具３は、長手方向に沿った一側部が取付用板部５を形成し、他側部側が左右一対の側壁部６ａ，６ａを備えた中空角枠状の金具本体６を形成するようなアルミ押出型材Ｍを、前記直角三角形の垂直辺部Ａの長さと同じピッチＰで且つその斜辺部Ｃの水平辺部Ｂに対する傾斜角度と同じ角度θで斜めに切断して、側面視平行四辺形の切断片Ｓを形成し、この切断片Ｓを前記水平辺部Ｂに沿うように切断することによって形成されることを特徴とする。
【発明の効果】
【００１０】
上記解決手段による発明の効果を、後述する実施形態の参照番号を付して説明すると、請求項１に係る発明の踏桟補強装置によれば、補強装置の取付けにあたって、ボルトやリベットの取付孔は、踏桟２側には設ける必要がなく、支柱１側にのみ設ければよいから、取付作業の手間が簡単容易となり、また梯子等への作業者の乗り降り時に直接荷重のかかる踏桟２側にボルトやリベットの取付孔を設けないことから、従来の補強装置のように取付孔の拡大によって踏桟２側にガタが生ずるようなことがなく、梯子等の使用寿命を延ばすことができる。この発明の補強装置は、左右の支柱１，１が平行ではなく、略々ハの字状に開いた構造の梯子等にも適用可能となる。
【００１１】
請求項２に係る発明の踏桟補強装置によれば、請求項１に係る発明と同様に、補強装置の取付けにあたって、ボルトやリベットの取付孔は、踏桟２側には設ける必要がなく、支柱１側にのみ設ければよいから、取付作業の手間が簡単容易となり、また梯子等への作業者の乗り降り時に直接荷重のかかる踏桟２側にボルトやリベットの取付孔を設けないことから、従来の補強装置のように取付孔の拡大によって踏桟２側にガタが生ずるようなことがなく、梯子等の使用寿命を延ばすことができる。
【００１２】
請求項３に係る発明のように、支柱取付側金具３は、取付用板部５と中空角枠状金具本体６との間に中間枠部７を形成することにより、金具本体６に対する踏桟取付側金具４の連結作業が容易となる。
【００１３】
請求項４に係る発明によれば、支柱取付側金具３は、直角三角形の直角コーナー部分ａが切除された形状となっているから、支柱取付側金具３を支柱１に取り付ける際に、支柱１に取り付けられている踏桟２の端部取付部に支柱取付側金具３が干渉することがなく、支柱取付側金具３の取付が容易となる。
【００１４】
請求項５に係る発明によれば、支柱取付側金具３を一体形成できるから、支柱取付側金具３の強度を増大でき、また一本のアルミ押出型材を有効に利用して支柱取付側金具３を多数形成できると共に、支柱取付側金具３の製作が容易となって、製作コストの低廉化を図ることができる。
【発明を実施するための最良の形態】
【００１５】
以下に、本発明の好適実施形態を図面に基づいて説明すると、図１は本発明に係る補強装置を構成する支柱取付側金具３と踏桟取付側金具４を示す斜視図であり、図２の(a) は支柱取付側金具３の正面図、(b) はその左側面図であり、図３は踏桟取付側金具４の正面図、(b) は(a) のＸ−Ｘ線断面図であり、図４の(a) ，(b) は、梯子Ｈの最下段の踏桟２を補強する補強装置の組み付け方法を示す説明図、図５の(a) は組み付けられた補強装置の外観を示す概略正面図、(b) はその右側面図、(c) は左側面図である。
【００１６】
この補強装置は、図２の(b) に示すように側面視が垂直辺部Ａと水平辺部Ｂと斜辺部Ｃとからなる略直角三角形を成していて、図４〜図６に示すような梯子Ｈの支柱１に取り付けられる支柱取付側金具３と、梯子Ｈの円筒状踏桟２に対してその上方又は下方より嵌合されて、支柱取付側金具３に連結される断面略Ｕ字状の踏桟取付側金具４とからなるもので、支柱取付側金具３は、前記直角三角形の垂直辺部Ａと水平辺部Ｂとの直角コーナー部分ａと、水平辺部Ｂと斜辺部Ｃとの鋭角コーナー部分ｂが夫々切除されたような形状となっている。
【００１７】
支柱取付側金具３は、前記直角三角形の垂直辺部Ａに沿う位置にあって、図５の(a) 〜(c) に示すように底壁部１ａと両フランジ部１ｂ，１ｂとによって断面コ字状を成す支柱１の底壁部１ａ内面にボルト止めされる取付用板部５と、夫々前記直角三角形の水平辺部Ｂと斜辺部Ｃを有する左右一対の側壁部６ａ，６ａを備えた中空角枠状の金具本体６と、この金具本体６と前記取付用板部５との間に形成された中間枠部７と、からなるもので、踏桟２に嵌合される断面略Ｕ字状踏桟取付側金具４の両端部４ａ，４ａが中空角枠状金具本体６の両側壁部６ａ，６ａに夫々重ね合わせられてボルト８止めされるようになっている。
【００１８】
支柱取付側金具３の金具本体６は、図１から分かるように、両側壁部６ａ，６ａと、両側壁部６ａ，６ａの後端側をつなぐ端壁部６ｂと、両側壁部６ａ，６ａの先端側をつなぐ端壁部６ｃとによって中空角枠状に形成され、中間枠部７は、中空角枠状金具本体６の端壁部６ｂと平板状の取付用板部５との間に介在する一対の側壁部７ａ，７ａとによって形成されている。取付用板部５には下端部両側にボルト挿通孔９が設けられ、金具本体６には各側壁部６ａの上端両側にボルト挿通孔１０が設けられている。また、踏桟取付側金具４の端部４ａには、金具本体６の各側壁部６ａの上端側に設けられたボルト挿通孔１０，１０と対応する位置に、ボルト挿通孔１１，１１が設けてある。
【００１９】
また、踏桟取付側金具４の幅Ｗｃ（図３の(a) 参照）は、支柱取付側金具３の金具本体６の側壁部６ａの幅Ｗａ（図２の(b) 参照）よりも僅かに狭く、また踏桟取付側金具４の両端部４ａ，４ａ間の内法間隔Ｗｄ（図３の(b) 参照）は、支柱取付側金具３の金具本体６の側壁部６ａ，６ａ間の外法間隔Ｗｂと殆ど同じ又はそれよりも僅かに広く形成され、それによって断面略Ｕ字状踏桟取付側金具４の両端部４ａ，４ａが支柱取付側金具３の金具本体６の側壁部６ａ，６ａを外側から挟み付けた状態で的確に嵌合されてボルト８止めされるようになっている。また踏桟取付側金具４の外周面には、例えば凹条部等からなる滑り止め２０が形成されている。また踏桟取付側金具４は、踏桟２に対しその上方又は下方より嵌合されるもので、踏桟２の断面形状（円形、矩形、多角形、その他の形状）に対応する断面略Ｕ字状又は略コ字状に形成されている。
【００２０】
上記のような構成よりなる踏桟補強装置を使用して、例えば最下段の踏桟２を支柱１とのコーナー部において補強する時は、先ず、図４の(a) に示すように支柱取付側金具３を支柱１の所要箇所に取り付ける。この取り付けにあたっては、取付用板部５を断面コ字状支柱１の底壁部１ａの内面所要部に当接させ、この底壁部１ａの所要箇所に予め設けてあるボルト挿通孔（図示せず）から挿入したボルト１２を取付用板部５のボルト挿通孔９に通し、その挿通端部にナット１３を螺合して締め付け、これにより取付用板部５を支柱１に取り付け固定する。
【００２１】
こうして支柱１の所要箇所に支柱取付側金具３をボルト１２止めした後、図４の(b) に示すように踏桟取付側金具４を上方より踏桟２の端部に嵌合して、この踏桟取付側金具４の両端部４ａ，４ａにより、支柱取付側金具３の金具本体６の側壁部６ａ，６ａを外側から挟み付けた状態とし、この状態で踏桟取付側金具４の各端部４ａのボルト挿通孔１１から金具本体６の側壁部６ａのボルト挿通孔１０にボルト８を挿通し、その挿通端部にナット１４を螺合して締め付け、これにより断面略Ｕ字状の踏桟取付側金具４を踏桟２に固定すると共に、この踏桟取付側金具４を支柱取付側金具３に一体的に連結し、図５の(a) 〜(c) に示すような取付状態とする。
【００２２】
図６は、上記のようにして組み付けた梯子Ｈの最下段側踏桟２の補強装置を左右両側の支柱１，１について示したものである。この補強装置の支柱取付側金具３及び踏桟取付側金具４はいずれも、図１及び図２から分かるように左右対称形状であるため、同じものを反転させて使用することによって、左右どちらの支柱１に対して取付可能である。
【００２３】
また、図４〜図６によって説明した補強装置は、梯子Ｈの支柱１とその最下段側踏桟２を補強するために支柱取付側金具３が踏桟２の下側に位置するように取り付けているが、梯子Ｈとその最上段側の踏桟２を補強する場合は、図７に示すように支柱取付側金具３が踏桟２の上側に位置するように取り付ければよく、この場合、踏桟取付側金具４は、踏桟２に対し下方より嵌合すればよい。取付方法は図４〜図６によって説明したのと同様である。
【００２４】
また、図４〜図７は、梯子Ｈの支柱１と踏桟２を補強する補強装置を示したものであるが、この補強装置は、梯子に限るものではなく、脚立、踏台、作業台、その他に支柱と踏桟とが直角に取り付く構造物であれば、どのような構造体にも適用可能である。図８は、作業台Ｋの支柱１と踏桟２とのコーナー部における踏桟２の補強装置を示したもので、この取付方法については、図４〜図６によって説明した梯子Ｈの場合と全く同様である。この作業台Ｋの支柱１は、詳細な図示は省略するが、底壁部と両フランジ部とによって断面コ字状を成すもので、この底壁部の内面に支柱取付側金具３がボルト止めされる。図４〜図７において、２１は支柱１の下端部に枢着された接地ベースである。
【００２５】
以上説明した実施形態の踏桟２の補強装置では、支柱取付側金具３の取付用板部５を支柱１の底壁部１ａに取り付け、また踏桟取付側金具４を支柱取付側金具３の金具本体６に連結するのに、ボルトを使用しているが、ボルトの代えてリベットを使用してもよい。
【００２６】
上述したような実施形態の踏桟補強装置によれば、この補強装置の取付けにあたって、ボルトやリベットの取付孔は、踏桟２側には設ける必要がなく、支柱１側にのみ設ければよいから、取付作業の手間が簡単容易となり、また作業者の乗り降り時に直接荷重のかかる踏桟２側にボルトやリベットの取付孔を設けないことから、従来の補強装置のように取付孔の拡大によって踏桟２側にガタが生ずるようなことがなく、梯子等の使用寿命を極力延ばすことができる。
【００２７】
図９の(a) は、上述した補強装置の支柱取付側金具３を形成するアルミ押出型材Ｍの側面図、(b) はその横断面図である。このアルミ押出型材Ｍは、長手方向に沿った一側部が取付用板部５を形成し、他側部側が左右一対の側壁部６ａ，６ａを備えた中空角枠状の金具本体６を形成し、尚且つそれらの間に一対の側壁部７ａ，７ａからなる中間枠部７を形成した型材であって、この型材Ｍを、図２の(a) に示すような直角三角形の垂直辺部Ａの長さと同じピッチＰで且つ前記直角三角形の斜辺部Ｂの水平辺部Ｃに対する傾斜角度θ（例えば４８°）と同じ角度θで斜めに切断して（切断線をＣＬ１で示す）、側面視平行四辺形の切断片Ｓを形成し、この平行四辺形の切断片Ｓを前記水平辺部Ｂに沿うように切断する（切断線をＣＬ２で示す）ことによって形成される。
【００２８】
このように型材Ｍを直角三角形の垂直辺部Ａの長さと同じピッチＰで且つ前記直角三角形の斜辺部Ｂの水平辺部Ｃに対する傾斜角度と同じ角度θで斜めに切断して、側面視平行四辺形の切断片Ｓを形成し、この切断片Ｓを前記水平辺部Ｂに沿うように切断する方法によれば、支柱取付側金具３を一体形成できるから、支柱取付側金具３の強度を増大でき、また一本のアルミ押出型材を有効に利用して支柱取付側金具３を多数形成できると共に、支柱取付側金具３の製作が容易となって、製作コストの低廉化を図ることができる。
【００２９】
尚、支柱取付側金具３は、上記のような製作方法によって形成される以外に、複数の部材を接合して形成してもよいし、また鋳造によって形成してもよい。
【００３０】
また、以上図面に基づいて説明した実施形態の補強装置は、請求項２〜請求項５に係る発明であって、左右両支柱１，１が平行に対向配置された梯子等に設置される補強装置であるが、図示はしていない請求項１に係る発明の補強装置は、両支柱が略ハの字状に配置された構造の梯子等にも適用されるものである。
【図面の簡単な説明】
【００３１】
【図１】本発明に係る補強装置を構成する支柱取付側金具と踏桟取付側金具を示す斜視図である。
【図２】(a) は支柱取付側金具の正面図、(b) はその左側面図である。
【図３】(a) は踏桟取付側金具の正面図、(b) は(a) のＸ−Ｘ線断面図である。
【図４】(a) ，(b) は、梯子の最下段の踏桟を補強する補強装置の組み付け方法を示す説明図である。
【図５】(a) は組み付けられた補強装置の外観を示す概略正面図、(b) はその右側面図、(c) は左側面図である。
【図６】梯子の最下段踏桟の補強装置を左右両側支柱について示す正面図である。
【図７】支柱取付側金具を踏桟の上側に位置するように取り付けた場合の実施形態を示す正面図である。
【図８】作業台の支柱と踏桟とのコーナー部における踏桟の補強装置を示す正面図である。
【図９】(a) は支柱取付側金具を形成するアルミ押出型材の側面図、(b) はその横断面図である。
【符号の説明】
【００３２】
１            支柱
１ａ          支柱の底壁部
１ｂ          支柱の側壁部
２            踏桟
３            支柱取付側金具
４            踏桟取付側金具
５            支柱取付側金具の取付用板部
６            支柱取付側金具の金具本体
７            支柱取付側金具の中間枠部
【図１】
2008106567.tif 000003
【図２】
2008106567.tif 000004
【図３】
2008106567.tif 000005
【図４】
2008106567.tif 000006
【図５】
2008106567.tif 000007
【図６】
2008106567.tif 000008
【図７】
2008106567.tif 000009
【図８】
2008106567.tif 000010
【図９】
2008106567.tif 000011